(57)【要約】      （修正有）【課題】水平部材と支柱は、支柱を貫通させたボルトその他の連結桿により連結されたフェンスを提供する。【解決手段】水平部材２と支柱１は、支柱を貫通させた連結桿１０により連結されている。支柱には、水平部材を連結するべき位置に貫通された孔１１ａ、１１ｂが設けられており、孔は連結桿の入り口部分の孔の口径が大きく、出口部分の孔の口径を小さく形成されている。連結桿は、支柱の孔へ挿入する先側部分の外径が出口部分の孔の口径よりも小さく、他の部分の外径は支柱の孔のうち出口部分の孔の口径よりは大きく、入り口部分の孔の口径よりも小さく形成されており、連結桿は支柱の孔に対して一方向にのみ通すことが可能に構成されている。【選択図】図１
2004156434.tif 000002
【特許請求の範囲】
【請求項１】
水平部材を支柱に連結して成るフェンスにおいて、
前記水平部材と支柱は、支柱を貫通させた連結桿により連結されていること、
支柱には、前記水平部材を連結するべき位置に貫通された孔が設けられており、該孔は前記連結桿の入り口部分の口径が大きく、出口部分の口径を小さく形成されていること、
前記連結桿は、前記支柱の孔へ挿入する先側部分の外径が前記出口部分の孔口径よりも小さく、他の部分の外径は支柱の孔のうち前記出口部分の孔口径よりは大きく、前記入り口部分の孔口径よりも小さく形成されており、連結桿は支柱の孔に対して一方向にのみ通すことが可能に構成されていることを特徴とする、フェンス。  
【請求項２】
連結桿のうち、支柱の孔へ挿入する先側部分がネジ部として形成され、該ネジ部にナットを締結して水平部材の連結が行われていることを特徴とする、請求項１に記載したフェンス。
【請求項３】
連結桿のうち、支柱の孔へ挿入する先側部分に止め孔が形成され、前記止め孔に止めピン又はコッタを差して水平部材の連結が行われていることを特徴とする、請求項１に記載したフェンス。
【請求項４】
連結桿のうち支柱の孔の入り口部分から露出する端部に、水平部材を支持するブラケットが取り付けられていることを特徴とする、請求項１又は２若しくは３に記載したフェンス。
【請求項５】
連結桿のうち支柱の孔の入り口部分から露出する端部に、水平部材を支持するフックが設けられていることを特徴とする、請求項１又は２若しくは３に記載したフェンス。
【請求項６】
水平部材が胴縁又は骨線であり、この胴縁又は骨線にフェンスパネルが取り付けられていることを特徴とする、請求項１〜５のいずれか一に記載したフェンス。
【請求項７】
水平部材が有刺鉄線であることを特徴とする、請求項１〜５のいずれか一に記載したフェンス。
【発明の詳細な説明】
【技術分野】
【０００１】
この発明は、フェンスを構成する胴縁、骨線、有刺鉄線等の水平部材を支柱に連結して構築されたフェンスの技術分野に属し、更に言えば、前記水平部材と支柱は、支柱を貫通させたボルトその他の連結桿により連結されたフェンスに関する。
【背景技術】
【０００２】
通例のフェンスは、図９と図１０に例示したように、地面６に立てた左右の支柱１、１に上下の胴縁２、２や中間の骨線３、或いは忍び返しを構成する有刺鉄線４などの水平部材が支持され、前記上下の胴縁２、２及び骨線３により、図示した金網５をはじめとするフェンスパネルを支持させた構成が一般的である。
前記胴縁２や骨線３、或いは有刺鉄線４などの水平部材を支柱１へ支持させる手段としては、各種の連結金具（継手を含む）や通常のボルト或いは特殊形状に加工されたフックボルト等の連結桿を使用して支柱に連結した構成が一般的に実施されている。
【０００３】
なお、下記の特許文献１には、連結桿の実施例として、一端側に水平部材であるアングル（胴縁）の水平辺、或いは骨線を抱え持つフック形状部が形成され、他端側の軸部にネジ部を形成し、支柱の孔へ通したネジ部へ反対側からナットを締結して固定する止め金具が開示されている。
特許文献２には、水平部材である骨線を抱え持つフック形状部材と、支柱の孔へ通したボルトとをナット部材を介して連結する構成の柵用線材止め金具が開示されている。
特許文献３には、水平部材であるアングルを抱え持つ形状の保持部材に、ボルトの軸部を一体的に接合して成る金網柵用連結金具が開示されている
【０００４】
【特許文献１】実開平５−１７０３９号公報
【特許文献２】意匠登録第８０２２２０号公報
【特許文献３】意匠登録第６５２３４２号公報
【発明の開示】
【発明が解決しようとする課題】
【０００５】
フェンスの各構成部材は、すべて工場加工とされ、現地では施工業者が各構成部材を組み合わせてフェンスを構築するのが一般的である。ところで、これまでのフェンスは、フェンスパネルを支柱へ取り付ける場合、支柱の取り付け位置に前後方向にボルト挿入用孔が設けられているが、同孔の口径は全て同一であるため、フェンスパネルを前後逆に取り付けてしまう場合があった。
【０００６】
本発明の目的は、水平部材の取り付け位置の誤り、ひいては前記水平部材で支持され又は構成されるフェンスパネルの取り付け位置を前後逆に取り付けてしまう誤作業を物理的、機械的に確実に未然に防止できる構成に改良したフェンスを提供することである。
【課題を解決するための手段】
【０００７】
上記従来技術の課題を解決するための手段として、請求項１に記載した発明に係るフェンスは、
水平部材２、３、４を支柱１に連結して成るフェンスにおいて、
前記水平部材２、３、４と支柱１は、支柱１を貫通させた連結桿１０により連結されている。
支柱１には、前記の水平部材２、３、４を連結するべき位置に貫通された孔１１ａ、１１ｂが設けられており、該孔は前記連結桿の入り口部分の孔１１ａの口径が大きく、出口部分の孔１１ｂの口径を小さく形成されている。
前記連結桿１０は、前記支柱１の孔１１ａ、１１ｂへ挿入する先側部分１０ｂの外径が前記出口部分の孔１１ｂの口径よりも小さく、他の部分１０ａの外径は支柱の孔のうち前記出口部分の孔１１ｂの口径よりは大きく、前記入り口部分の孔１１ａの口径よりも小さく形成されており、連結桿１０は支柱の孔１１ａ、１１ｂに対して一方向にのみ通すことが可能に構成されていることを特徴とする。  
【０００８】
請求項２に記載した発明は、請求項１に記載したフェンスにおいて、
連結桿１０のうち、支柱１の孔へ挿入する先側部分１０ｂがネジ部１０ｃとして形成され、該ネジ部１０ｃにナット１３を締結して水平部材２、３、４の連結が行われていることを特徴とする。
【０００９】
請求項３に記載した発明は、請求項１に記載したフェンスにおいて、
連結桿１０のうち、支柱１の孔へ挿入する先側部分１０ｂに止め孔が形成され、前記止め孔に止めピン又はコッタを差して水平部材２、３、４の連結が行われていることを特徴とする。
【００１０】
請求項４に記載した発明は、請求項１又は２若しくは３に記載したフェンスにおいて、
連結桿１０のうち、支柱１の孔の入り口部分から露出する端部に、水平部材２、３、４を支持するブラケット１２が取り付けられていることを特徴とする。
【００１１】
請求項５に記載した発明は、請求項１又は２若しくは３に記載したフェンスにおいて、
連結桿１０のうち、支柱１の孔の入り口部分から露出する端部に、水平部材２、３、４を支持するフック１０ｆ、１０ｇが設けられていることを特徴とする。
【００１２】
請求項６に記載した発明は、請求項１〜５のいずれか一に記載したフェンスにおいて、
水平部材が胴縁２又は骨線３であり、この胴縁２又は骨線３にフェンスパネル５が取り付けられていることを特徴とする。
【００１３】
請求項７に記載した発明は、請求項１〜５のいずれか一に記載したフェンスにおいて、水平部材が有刺鉄線４であることを特徴とする。
【発明の効果】
【００１４】
本発明に係るフェンスは、支柱１において水平部材２、３、４を連結するべき位置に貫通された孔１１ａ、１１ｂを設けると共に、該孔は連結桿１０の入り口部分の孔１１ａの口径が大きく、出口部分の孔１１ｂの口径を小さく形成し、一方、連結桿１０は、前記支柱１の孔へ挿入する先側部分１０ｂの外径が前記出口部分の孔１１ｂの口径よりも小さく、他の部分１０ａの外径は支柱１の孔のうち前記出口部分の孔１１ｂの口径よりは大きく、前記入り口部分の孔１１ａの口径よりも小さく形成し、連結桿１０は支柱１の孔に対して口径の大きい側から小さい側に向かって一方向にのみ通すことが可能に構成されているから、支柱１の孔１１ａ、１１ｂに対する連結桿１０の挿入方向は物理的に、且つ一義的に定まり、施工業者の誤解とかうっかり単純ミス等で支柱１に対する挿入方向を誤ることがない。よって水平部材２、３、４の取り付け位置の誤り、ひいては前記水平部材２、３、４で支持され又は構成されるフェンスパネルの取り付け位置を前後逆に取り付けてしまう誤作業を物理的、機械的に確実に未然に防止できて、施工性も良い。
【発明を実施するための最良の形態】
【００１５】
水平部材２、３、４を支柱１に連結して成るフェンス、特に前記水平部材２、３、４と支柱１は、支柱１を貫通させた連結桿１０により連結されたフェンスを構築するにあたり、支柱１には前記水平部材２、３、４を連結するべき位置に貫通された孔１１ａ、１１ｂを設けると共に、該孔は前記連結桿１０の入り口部分の孔１１ａの口径を大きく、出口部分の孔１１ｂの口径を小さく形成する。一方、前記連結桿１０は、前記支柱１の孔へ挿入する先側部分１０ｂの外径を前記出口部分の孔１１ｂの口径よりも小さく、他の部分１０ａの外径は支柱の孔のうち前記出口部分の孔１１ｂの口径よりは大きく、前記入り口部分の孔１１ａの口径よりは小さく形成して、連結桿１０は支柱１の孔に対して口径の大きい側から小さい側に向かって一方向にのみ通すことが可能に構成して実施する。
【実施例１】
【００１６】
以下に、図示した本発明の実施例を説明する。
図１と図２は、例えば図９中に円（イ）及び（ロ）で囲ったように、フェンスパネルの一例である金網５の上下を支持する水平部材たる上下の胴縁２、２を支柱１に連結したフェンスにおける、胴縁２と支柱１との連結構造の詳細を示している。前記水平部材たる胴縁２と支柱１とは、支柱１をフェンスの内外方向へ水平に貫通させた連結桿１０により連結されている。図示例の場合、支柱１は円管で、胴縁２は角管であることを示しているが、勿論この例の限りではない。
【００１７】
本実施例の場合、支柱１には、上記胴縁２（水平部材）を連結するべき位置に、前記連結桿１０を通すべく貫通された孔１１ａ、１１ｂがフェンスの内外方向にほぼ水平に設けられている。しかも該孔は、連結桿１０の入り口部分の孔１１ａの口径が大きく、出口部分の孔１１ｂの口径を小さく形成されている。
一方、本実施例の連結桿１０には、支柱１の入り口部分の孔１１ａの外側に露出する端部に、前記角管から成る胴縁２をその両側から挟み付けて支持する構成のブラケット１２が取り付けられている（請求項４記載の発明）。そして、連結桿１０のうち、前記支柱１の孔へ挿入する先側部分１０ｂの外径は、支柱１の前記出口部分の孔１１ｂの口径よりは小さく、同孔１１ｂへ通すことが可能に構成されている。また、連結桿１０のうち、前記先側部分１０ｂを除いた部分１０ａの外径は、支柱１の孔のうち前記出口部分の孔１１ｂの口径よりは大きく、前記入り口部分の孔１１ａの口径よりも小さく形成され、もって入り口部分の孔１１ａへは通るが、出口部分の孔１１ｂには通らない構成とされている。
【００１８】
したがって、連結桿１０は、支柱１の孔に対して、仮に作業者が間違えて図１、図２の右側から左側方向へ挿入しようとしても、先側部分１０ｂは、支柱１の前記出口部分の孔１１ｂまでは通るが、それ以上には入らないので、この時点で作業者は挿入方向の誤りに気づく。すなわち、連結桿１０は、支柱１の孔に対して、図１、図２の左側から右側方向にのみ一方向に通すことができるから、フェンス構築作業の誤りは物理的、機械的に確実に未然に防止できるという訳である。  
【００１９】
図３には、上記角管から成る胴縁２を両側から挟み付けて支持するブラケット１２の構成を具体的に示している。このブラケット１２はアングルを所要の長さに切断したに等しい一対の挟み具１２ａと１２ｂの組み合わせから成り、一方の挟み具１２ａの内面の中央部に、連結桿１０の頭部が溶接等の手段によりほぼ垂直に一体的に接合されている。他方の挟み具１２ｂには、連結桿１０の大径部分１０ａを通すことが可能な口径の孔１２ｃが設けられている。また、連結桿１０の先側部分１０ｂには雄ネジ１０ｃが形成されている。
【００２０】
従って、上記構成の連結桿１０とブラケット１２の使用法は、先ず連結桿１０を他方の挟み具１２ｂの孔１２ｃへ通した上で、同連結桿１０を支柱１の孔１１ａ及び１１ｂへ貫通させ、反対側からネジ部１０ｃへナット１３をねじ込んで仮止め状態とする。その上で、図１、図２に示すように、一対の挟み具１２ａと１２ｂの間へ、両側から胴縁２、２を差し込んで支持させ、しかる後にナット１３を本締めして連結の目的が達成される（請求項２記載の発明）。
【実施例２】
【００２１】
図４には、胴縁２が円管である場合に、この胴縁２を支持するブラケット１２が半月板形状の一対の挟み具１２ａと１２ｂで構成された実施例を示している。円管による胴縁２は、上記第１実施例のように、アングルを利用したブラケット１２でもきっちり支持させることができる。
【実施例３】
【００２２】
図５は、支柱がＨ形鋼１’である場合に、水平部材たる胴縁２を段付きボルト構造の連結桿１０で連結した実施例を示す。
本実施例の場合、Ｈ形鋼支柱１’において前記胴縁２（水平部材）を連結するべき位置に、連結桿１０を通す孔が、連結桿１０を通す入り口部分の孔１１ａの口径は大きく、出口部分の孔１１ｂの口径を小さく形成されている。
一方、本実施例の連結桿１０は、頭部にボルト頭１０ｄを有し、連結桿１０のうち、前記Ｈ形鋼支柱１’の孔へ挿入する先側部分１０ｂの外径は、支柱１’の前記出口部分の孔１１ｂの口径よりは小さく、同孔１１ｂへ通すことが可能に構成されている。また、連結桿１０のうち、前記先側部分１０ｂを除く部分１０ａの外径は、支柱１の孔のうち前記出口部分の孔１１ｂの口径よりは大きく、前記入り口部分の孔１１ａの口径よりは小さく形成されている。
したがって、連結桿１０は、先ず胴縁２の孔へ貫通させた上で、Ｈ形鋼支柱１’の孔に対して、図５の左側から右側方向へ一方向にのみ通すことができ、ネジ部１０ｃへナット１３をねじ込んで締結する構成であるから、やはりフェンス構築作業の誤りは物理的、機械的に確実に未然に防止できる。
Ｈ形鋼支柱ではなく、角管柱の場合にも、同様な構造の連結を実施可能である。
【実施例４】
【００２３】
図６は、図９中に円（ハ）で囲ったように、フェンスパネルである金網５の中間部を支持する水平部材たる骨線３を支柱１に連結した場合の、骨線３と支柱１との連結構造の詳細を示している。
本実施例の場合、連結桿１０のうち、支柱１の入り口部分の孔１１ａの外側に露出する端部には、水平部材である骨線３を支持するフック１０ｆが設けられている（請求項５記載の発明）。  
本実施例の場合も、支柱１において前記骨線３（水平部材）を連結するべき位置に、連結桿１０を通す孔が、連結桿１０を通す入り口部分の孔１１ａの口径は大きく、同出口部分の孔１１ｂの口径は小さく形成されている。一方、連結桿１０は、頭部に上記のフック１０ｆが設けられている。そして、この連結桿１０のうち、前記支柱１の孔へ挿入する先側部分１０ｂの外径は、支柱１の前記出口部分の孔１１ｂの口径よりも小さく、同孔１１ｂへ通すことが可能に構成されている。また、同連結桿１０のうち、前記先側部分１０ｂを除く部分１０ａの外径は、支柱１の孔のうち前記出口部分の孔１１ｂの口径よりは大きく、前記入り口部分の孔１１ａの口径よりは小さく形成されている。
したがって、連結桿１０は、支柱１の孔に対して、図６の左側から右側方向へ一方向にのみ通すことができ、フック１０ｆに骨線３を噛ませた上で、ネジ部１０ｃへナット１３をねじ込んで締結される。したがって、フェンス構築作業の誤りは物理的、機械的に確実に防止できる。
【実施例５】
【００２４】
図７は、図９中に円（ニ）で囲ったように、水平部材としていわゆる忍び返しを構成する有刺鉄線４を支柱１に連結した場合の、有刺鉄線４と支柱１との連結構造の詳細を示している。
本実施例の場合、連結桿１０において、支柱１の入り口部分の孔１１ａの外側に露出する端部には、水平部材である有刺鉄線４を支持する鈎形状のフック１０ｆが設けられている。この連結桿１０も、前記支柱１の孔へ挿入する先側部分１０ｂの外径は、支柱１の前記出口部分の孔１１ｂの口径よりは小さく、同孔１１ｂへ通すことが可能に構成されている。また、同連結桿１０のうち、前記先側部分１０ｂを除く部分１０ａの外径は、支柱１の孔のうち前記出口部分の孔１１ｂの口径よりは大きく、前記入り口部分の孔１１ａの口径よりは小さく形成されている。
したがって、連結桿１０は、支柱１の孔に対して、図７の左側から右側方向にのみ一方向に通すことができ、フック１０ｆに有刺鉄線４を噛ませた上で、ネジ部１０ｃへナット１３をねじ込んで締結される。したがって、フェンス構築作業の誤りは物理的、機械的に確実に防止できる。
【実施例６】
【００２５】
図８は、更に異なるフック形ボルト構造の連結桿１０の実施例を示す。これは水平部材が胴縁２であれ、骨線３であれ、或いは有刺鉄線４であっても、それらを通して支持させることが可能な内径に湾曲されたフック１０ｇを、支柱１の入り口部分の孔１１ａの外側に露出する端部（頭部側）に有する。この連結桿１０も、支柱１の孔へ挿入する先側部分１０ｂの外径は、支柱１の前記出口部分の孔１１ｂの口径よりは小さく、同孔１１ｂへ通すことが可能に構成されている。また、同連結桿１０のうち、前記先側部分１０ｂを除く部分１０ａの外径は、支柱１の孔のうち前記出口部分の孔１１ｂの口径よりは大きく、前記入り口部分の孔１１ａの口径よりも小さく形成されている。従って、この連結桿１０の使用方法および機能は、上記の各実施例と同様である。
【００２６】
その他、図示することは省略したが、上記の各連結桿１０において、支柱の孔へ挿入する先側部分の先端寄り位置にピン孔、或いはコッタ孔の如く直径線方向（又は横断方向）に貫通された止め孔を形成し、この止め孔に止めピン又はコッタを差して水平部材の連結を行う構成でも実施することもできる。つまり、上記実施例で説明したネジ部１０ｃとナット１３による結合手段に限らないということである。
【図面の簡単な説明】
【００２７】
【図１】フェンスにおける水平部材を連結桿で支柱と連結した実施例を部分的に拡大して示す平面図である。
【図２】図１の立面方向の断面図である。
【図３】ブラケットの構造を分解して示す斜視図である。
【図４】図２とは異なる実施例を示す立面断面図である。
【図５】図１とは異なる実施例を示す平面図である。
【図６】図２、図４とは異なる実施例の立面方向の断面図である。
【図７】更に異なる実施例を示す立面方向の断面図である。
【図８】連結桿の更に異なる実施例を示す側面図である。
【図９】フェンスの構造例を示す立面図である。
【図１０】前記フェンスの側面図である。
【符号の説明】
【００２８】
２、３、４      水平部材（胴縁、骨線、有刺鉄線）
１              支柱
１０            連結桿    
１１ａ、１１ｂ  支柱の孔（大口径孔、小口径孔）
１０ｂ          連結桿の先側部分（小径部分）
１０ａ          連結桿の他の部分（大径部分）
１０ｃ          ネジ部
１３            ナット
１２            ブラケット
１０ｆ、１０ｇ  フック
【図１】
2004156434.tif 000003
【図２】
2004156434.tif 000004
【図３】
2004156434.tif 000005
【図４】
2004156434.tif 000006
【図５】
2004156434.tif 000007
【図６】
2004156434.tif 000008
【図７】
2004156434.tif 000009
【図８】
2004156434.tif 000010
【図９】
2004156434.tif 000011
【図１０】
2004156434.tif 000012